(57)【特許請求の範囲】
【請求項１】
足場板の上方に形成される作業空間と外部空間の境界面に配置される足場用幅木装置であり、
前記幅木装置(12)は、前記足場板の外側縁部に臨んで固定される長尺の幅木本体(19)と、該幅木本体の下端縁部から前記足場板の外側縁部の上面に向けて延長される長尺の踏み板部材(20)を備えており、
前記幅木本体(19)の下端部と踏み板部材(20)の基端部を長手方向に間隔をあけて配置された複数の蝶番(23)により枢結し、前記蝶番の一方の翼片部(23b)を幅木本体(19)の下端部に固着すると共に、他方の翼片部(23a)を踏み板部材(20)の基端部により構成された枢結板部(47)に固着することにより、踏み板部材を幅木本体に重ねられた格納姿勢(P1)と、該格納姿勢から前記足場板の上面に向けて展開される使用姿勢(P2)との間で、回動自在に構成され、
前記幅木本体(19)の下端部に前記足場板に向けて延びる支持壁(49)を設けると共に、前記使用姿勢とされた踏み板部材(20)の枢結板部(47)の下方に位置して前記支持壁に支持リブ(50)を立設しており、
前記踏み板部材(20)を使用姿勢(P2)としたとき、前記支持リブ(50)により、踏み板部材の基端部のうち前記翼片部(23a)を固着した枢結板部(47)を下方から支持するように構成して成ることを特徴とする足場用幅木装置。
【請求項２】
前記踏み板部材(20)を使用姿勢とした状態で、前記蝶番(23)の一方の翼片部(23b)を固着した幅木本体(19)の下端部(48e)と、他方の翼片部(23a)を固着した踏み板部材(20)の端縁(20e)の間には、該蝶番(23)の両側に位置して隙間(W)が形成され、
前記支持壁(49)により前記隙間(W)を下方から覆うように構成して成ることを特徴とする請求項１に記載の足場用幅木装置。
【請求項３】
前記格納姿勢(P1)としたとき相互に重なり合う踏み板部材(20)と幅木本体(19)の重合面(Q1)に対して、幅木本体(19)の下端部に前記重合面(Q1)から外部空間に向けて凹入された溝部(27)を形成し、該溝部(27)の溝底壁(48)から前記支持壁(49)を延設して成ることを特徴とする請求項１又は２に記載の足場用幅木装置。
【発明の詳細な説明】
【技術分野】
【０００１】
本発明は、足場用の幅木装置に関する。
【背景技術】
【０００２】
建設現場等に構築される仮設足場において、足場板により形成される作業空間で高所作業を行う場合、作業中に、作業空間の外側の外部空間に向けて、作業者が使用する工具や作業用機材や、ボルト又はナットその他の物品が誤って落下するおそれがある。このような落下物は、地上を往来する者を直撃する危険があり、人身事故を招来する可能性がある。そこで、足場板の上に置かれた物品が外部空間に落下することを防止するため、外部空間に臨む足場板の外側縁部に幅木装置を設けることが望ましい。
【０００３】
ところで、仮設足場の構築に関して、作業者の安全のため、上層の足場板を設置する前に、下層の足場板からの作業により、上層の手摺枠を設置する手摺先行工法が推奨されている。従って、このような手摺先行工法においては、足場構築の作業効率と、落下物防止の安全性の観点から、前記幅木装置を先行手摺枠の設置作業と同時に設置するのが良い。
【０００４】
幅木装置は、本出願人が特許文献１として提案するように、手摺枠に固定される長尺の幅木本体だけでなく、該幅木本体の下端縁部から延長され足場板の外側縁部の上面に重ねられる長尺の踏み板部材を備えることが好ましい。これにより、足場板の外側縁部と幅木本体の間の狭小な隙間が踏み板部材により塞がれるので、ボルト・ナット等の小さな物品の落下防止が可能となる。
【０００５】
上記の幅木装置は、幅木本体と踏み板部材を断面Ｌ形として使用されるものであるから、保管や運搬に際して嵩張る問題があり、このため、特許文献１のように、幅木本体の下端部と踏み板部材の基端部をヒンジ手段により枢結し、前記ヒンジ手段により、踏み板部材を幅木本体に重ねられた格納姿勢と、該格納姿勢から展開され前記足場板の上面に重ねられる使用姿勢との間で、回動自在とするように構成することが好ましい。
【０００６】
前記ヒンジ手段に関しては、例えば、幅木本体と踏み板部材をアルミニウム等の押出成形等による型材により形成し、相互の縁部に形成したレール状の雄軸と雌軸を回動自在に嵌合することにより構成したものを提供できるが、この場合、現場での使用時に、前記嵌合部に塵芥等が侵入して回動不良を生じるおそれがあり、不良を解消するためのメンテナンスが煩雑である。このため、回動良好性と保守良好性の観点からは、多少はコスト高を招来しても、蝶番から成るヒンジ手段を使用するのが良く、特許文献１においても蝶番が使用されている。
【先行技術文献】
【特許文献】
【０００７】
【特許文献１】特開２０１１−１４０７７７号公報
【発明の概要】
【発明が解決しようとする課題】
【０００８】
特許文献１の幅木装置は、幅木本体の下端部と踏み板部材の基端部を長手方向に間隔をあけて配置された複数の蝶番により枢結し、前記蝶番により、踏み板部材を幅木本体に重ねられた格納姿勢と、該格納姿勢から展開され前記足場板の上面に重ねられる使用姿勢との間で、回動自在とするように構成されている。従って、嵩小さくした格納姿勢で梱包できるので、保管や運搬の便利に資する。
【０００９】
そして、仮設足場における手摺枠に取付けた使用状態において、足場の外側縁部に臨む手摺枠は、開口部の足元部分を幅木本体により塞がれ、足場板の外側縁部と前記幅木本体の間の隙間を踏み板部材により上方から塞がれるので、落下物防止の所期目的を好適に達成する。
【００１０】
しかしながら、踏み板部材は、足場板の上に重ねられた状態で使用されるので、足場板を歩行する作業者は、しばしば、踏み板部材を踏みつけながら歩行することになる。この点に関して、上記幅木装置における踏み板部材は、長手方向に間隔をあけて配置された複数の蝶番により幅木本体に連結されているので、蝶番が設けられた個所では該蝶番を介して作業者の荷重を十分に支持できるが、複数の蝶番の間に位置する中途部位では荷重を十分に支持することができない。
【００１１】
このため、踏み板部材の前記中途部位は、作業者に踏みつけられると、下方に撓んでしまい、これが作業者に不快感と不安感を与えるという重大な問題がある。
【００１２】
しかも、前記中途部位が作業者の荷重を受けて撓まされると、蝶番に歪み応力が生じるので、踏みつけの繰り返し動作に伴い、蝶番を損傷する可能性がある。
【００１３】
更に、踏み板部材により足場板の外側縁部と前記幅木本体の間の隙間を塞いでいるが、特許文献１に図示されるように、蝶番に固着された幅木本体の下端部と踏み板部材の基端部の間に生じるスリットが長手方向の全長にわたり形成されるため、該スリットを通過するビス、針金、薄い板片等が落下する危険がある。
【課題を解決するための手段】
【００１４】
本発明は、上記課題を解決した足場用幅木装置を提供するものであり、その手段として構成したところは、足場板の上方に形成される作業空間と外部空間の境界面に配置される足場用幅木装置であり、前記幅木装置は、前記足場板の外側縁部に臨んで固定される長尺の幅木本体と、該幅木本体の下端縁部から前記足場板の外側縁部の上面に向けて延長される長尺の踏み板部材を備えており、前記幅木本体の下端部と踏み板部材の基端部を長手方向に間隔をあけて配置された複数の蝶番により枢結し、前記蝶番の一方の翼片部を幅木本体の下端部に固着すると共に、他方の翼片部を踏み板部材の基端部により構成された枢結板部に固着することにより、踏み板部材を幅木本体に重ねられた格納姿勢と、該格納姿勢から前記足場板の上面に向けて展開される使用姿勢との間で、回動自在に構成され、前記幅木本体の下端部に前記足場板に向けて延びる支持壁を設けると共に、前記使用姿勢とされた踏み板部材の枢結板部の下方に位置して前記支持壁に支持リブを立設しており、前記踏み板部材を使用姿勢としたとき、前記支持リブにより、踏み板部材の基端部のうち前記翼片部を固着した枢結板部を下方から支持するように構成して成る点にある。
【００１５】
本発明の実施形態において、前記踏み板部材を使用姿勢とした状態で、前記蝶番の一方の翼片部を固着した幅木本体の下端部と、他方の翼片部を固着した踏み板部材の端縁の間には、該蝶番の両側に位置して隙間が形成され、前記支持壁により前記隙間を下方から覆うように構成されている。
【００１６】
好ましくは、前記格納姿勢としたとき相互に重なり合う踏み板部材と幅木本体の重合面に対して、幅木本体の下端部に前記重合面から外部空間に向けて凹入された溝部を形成し、該溝部の溝底壁から前記支持壁を延設している。
【発明の効果】
【００１７】
請求項１に記載の本発明によれば、幅木装置１２は、足場に使用されたとき、使用姿勢とされた踏み板部材２０の基端部２２が幅木本体１９の支持リブ５０により下方から支持されているので、作業者に踏みつけられても撓むことはない。従って、足元の撓みよる不快感や不安感を作業者に与えることはない。特に、支持リブ５０は、蝶番２３の翼片部２３ａを固着した枢結板部４７を下方から支持するので、蝶番２３の損傷を防止できる。
【００１８】
請求項２に記載の本発明によれば、蝶番２３の性質上、前記踏み板部材２０を使用姿勢とした状態で、前記蝶番２３の一方の翼片部２３ｂを固着した幅木本体１９の下端部４８ｅと、他方の翼片部２３ａを固着した踏み板部材２０の端縁２０ｅの間には、該蝶番の両側に位置して隙間Ｗが形成されるが、該隙間Ｗは、支持壁４９により下方から覆われているので、万一、物品が隙間Ｗに進入しても、落下を防止できる。
【００１９】
請求項３に記載の本発明によれば、
格納姿勢Ｐ２としたとき相互に重なり合う踏み板部材２０と幅木本体１９の重合面Ｑ１に対して、幅木本体１９の下端部に前記重合面Ｑ１から外部空間に向けて凹入された溝部２７を形成し、該溝部２７の溝底壁４８から前記支持壁４９を延設しているので、上述のように、前記支持壁４９により、隙間Ｗの下方を好適に覆い、支持リブ５０により、蝶番２３の翼片部２３ａを固着した枢結板部４７の下方を好適に支持することができる。
【図面の簡単な説明】
【００２０】
【図１】支柱と該支柱の横架材に架設された足場板を作業空間側から見た正面図である。
【図２】支柱に手摺枠を取付けた状態を作業空間側から見た正面図である。
【図３】手摺枠に本発明の１実施形態に係る幅木装置を取付けた状態を作業空間側から見た正面図である。
【図４】支柱及び横架材と手摺枠の関係を作業空間側から見た斜視図である。
【図５】支柱及び横架材と手摺枠の関係を外部空間側から見た斜視図である。
【図６】幅木装置の側端部を作業空間側から見た斜視図である。
【図７】幅木装置の側端部を外部空間側から見た斜視図である。
【図８】幅木装置の手摺枠に対する取付部分を作業空間側から見た斜視図である。
【図９】幅木装置の全体を作業空間側から見た正面図である。
【図１０】図９のＡ−Ａ線断面拡大図である。
【図１１】幅木装置に設けた格納係止装置を示し、（Ａ）は作業空間側から見た正面図、（Ｂ）は平面図である。
【図１２】幅木装置の使用状態を示す縦断面図である。
【図１３】幅木装置における踏み板部材の作用を示し、（Ａ）は格納姿勢を示す縦断面図、（Ｂ）は使用姿勢を示す縦断面図、（Ｃ）は使用姿勢における蝶番の両側を拡大して示す斜視図である。
【図１４】複数の幅木装置の積層状態を示す説明図である。
【発明を実施するための形態】
【００２１】
以下図面に基づいて本発明の好ましい実施形態を詳述する。
【００２２】
図１は、本発明の幅木装置が使用される足場構築体の１例を示している。足場構築体１は、上下方向に延びる支柱２の所定個所に横架材３が設けられており、隣り合う支柱２、２の横架材３、３の間に足場板４が架設され、該足場板４の上面により規定される床レベルＦの上方に作業空間Ｓが形成されている。従って、以下の説明において、作業空間Ｓに対する外側空間、つまり、足場板が設けられていない外側の空間を外部空間と称し、図１は、作業空間Ｓから外部空間に向けて支柱２、横架材３、足場板４を見た状態を図示している。尚、足場構築体１は、公知のものであり、図例では枠組足場を示しているが、単管足場、その他の足場でも良く、上下方向に延びる支柱２に対して足場板４を上下階層状に設けることにより作業空間が形成されるものであれば良く、本発明の幅木装置は、あらゆる形式の足場に使用することが可能である。
【００２３】
図面に例示する足場構築体１の場合、図２に示すように、前記作業空間と外部空間の境界面に位置して、手摺枠５が支柱２、２に固設される。この際、上層の足場板４を設置する前に、下層の足場板４からの作業により、上層の手摺枠５を設置する手摺先行工法を実施することが好ましいが、これに限定されるものではない。
【００２４】
手摺枠５は、隣り合う一対の支柱２、２の内側にほぼ平行に沿って上下に延びる縦材６、６と、該縦材６、６の上端部を相互に連結する手摺材７を設けた枠体を構成し、前記手摺材７の下方で枠体に一体化された柵状部８を有する。図例の場合、柵状部８は、ほぼ水平状態で上下に配置された水平材８ａ、８ａと、該水平材を連結する連結材８ｂを備えているが、これに限定されるものではない。
【００２５】
手摺枠５の縦材６、６には、足場構築体１の横架材３に載置される支持手段９と、該支持手段９の下方に位置する固定手段１０と、上方に位置する係止手段１１が設けられ、前記支持手段９を横架材３に載置した状態で、前記固定手段１０を支柱２に固定し、前記係止手段１１を支柱２に係止することにより、手摺枠５を所定位置に取付けられる。
【００２６】
そこで、図例の場合、支柱２、２に取付けられた手摺枠５に対して、図３に示すように、作業空間Ｓから幅木装置１２が取付けられる。
【００２７】
手摺枠５は、前記支持手段９を利用することにより幅木装置１２を取付けるように構成されており、このため、前記支持手段９は、図４及び図５に示すように、アルミニウム等により一体成形された剛体構造のブロックを構成し、手摺枠５の縦材６を挿通させた状態で溶接等により固着された固着部１３と、該固着部１３から支柱２に向けて延びる延長部１４と、該延長部１４から屈折して横架材３に載置される搭載部１５を備えており、前記搭載部１５を横架材３に載置した状態で、該搭載部１５と横架材３及び支柱２の間に上下方向の隙間１６を形成するように構成されている。
【００２８】
これに対して、幅木装置１２は、図示実施形態の場合、後述するようなピン結合により手摺枠５の縦材６に取付けられるように構成されており、このため、縦材６の側面（一対の縦材６、６の相互に対向する面）に沿って縦板材１７が設けられ、該縦板材１７の所定位置に係止孔１８を開設している。尚、図例の場合、縦板材１７は、縦材６に溶接等で固着され、該縦材６と共に前記支持手段９の固着部１３に挿通されているが、支持手段９に縦板材１７を一体に延設したものであっても良い。
【００２９】
前記支持手段９の搭載部１５の下面は、横架材３の頂部から下側の周面一部に沿う円弧状の載置面１５ａを形成し、該載置面１５ａを横架材３に載置した状態で、搭載部１５の上面は、上記足場板４の上面により規定される床レベルＦにほぼ一致する搭載面１５ｂを形成する。図例の場合、搭載面１５ｂは、床レベルＦよりも約１０ｍｍ程度とされた僅かな高さＨ（図１２参照）だけ上方に位置する。
【００３０】
本発明の幅木装置１２の１実施形態を図６ないし図１４に示している。幅木装置１２は、幅木本体１９と、作業空間Ｓの側から幅木本体１９に重ね合わせられる踏み板部材２０を備えており、幅木本体１９の下端部２１と踏み板部材２０の基端部２２を長手方向に間隔をあけて配置された複数の蝶番２３により枢結し、図６に示すように、蝶番２３により、踏み板部材２０を幅木本体１９に重ねられた格納姿勢Ｐ１と、該格納姿勢Ｐ１から水平方向に向けて展開された使用姿勢Ｐ２との間で、回動自在に構成されている。
【００３１】
幅木本体１９は、手摺枠５の一対の縦材６、６を超えて延びる長さ、図示実施形態の場合、縦材６、６に設けられた前記支持手段９、９の搭載部１５、１５に架設される全長を有する細長い長尺板により構成されている。幅木本体１９は、例えば、アルミニウム等により押出成形され、図６に作業空間Ｓに臨む側を内側Ｄ１として図示し、その反対側の外部空間に臨む側を外側をＤ２として図示するように、上から下に向けて順に、外側Ｄ２に開口する第１溝部２４、内側Ｄ１に開口する第２溝部２５、外側Ｄ２に開口する幅広の樋部２６、内側Ｄ１に開口する収容溝部２７を形成している。この際、前記収容溝部２７は、上側の浅溝部２７ａと下側の深溝部２７ｂを構成する。
【００３２】
前記幅木本体１９の長手方向両端部は、断面コ字形の端部キャップ２８により抱持されている。端部キャップ２８は、幅木本体１９を内側Ｄ１と外側Ｄ２から挟持する挟持片２８ａ、２８ｂを備え、図６に示すように、内側Ｄ１の挟持片２８ａを上下複数個所に配置されたリベット等の頭付き固着具２９ａ、３０ａにより幅木本体１９に固着し、図７に示すように、外側Ｄ２の挟持片２８ｂを上下複数個所に配置されたリベット等の頭付き固着具２９ｂ、３０ｂにより幅木本体１９に固着している。
【００３３】
この際、前記挟持片２８ａ、２８ｂの対面方向に関して、内側Ｄ１の固着具２９ａ、３０ａの位置ａ１、ａ２と、外側Ｄ２の固着具２９ｂ、３０ｂの位置ｂ１、ｂ２が相互に対面せずに位置ずれするように配置され、これに対して、前記内側Ｄ１の挟持片２８ａには、前記外側Ｄ２の固着具２９ｂ、３０ｂに対応する位置ｂ１、ｂ２に孔３１ａ、３２ａが形成され、前記外側Ｄ２の挟持片２８ｂには、前記内側Ｄ１の固着具２９ａ、３０ａに対応する位置ａ１、ａ２に孔３１ｂ、３２ｂが形成されている。
【００３４】
従って、図１４に示すように、踏み板部材２０を格納姿勢とした状態で、複数の幅木装置１２を重ねて積層したとき、隣り合う幅木装置１２、１２の端部キャップ２８、２８の間において、相互に、内側Ｄ１の固着具２９ａ、３０ａの頭部が外側Ｄ２の孔３１ｂ、３２ｂに嵌合する。また、同様に、相互に、外側Ｄ２の固着具２９ｂ、３０ｂの頭部が内側Ｄ１の孔３１ａ、３２ａに嵌合する。このため、多数の幅木装置１２を積層する際の作業が容易であり、しかも、積層状態の崩壊を防止できる。
【００３５】
図７に示すように、前記端部キャップ２８は、外側Ｄ２に位置して下端部から下向きに係止片３３を突設しており、図８に示すように、幅木装置１２の両端部を前記支持手段９の搭載面１５ｂに搭載したとき、係止片３３が前記隙間１６に挿脱自在に嵌入されるように構成している。
【００３６】
図７及び図８に示すように、幅木本体１９の樋部２６には、前記縦板材１７の係止孔１８に係脱自在に係止する係止機構３４が装着されている。係止機構３４は、幅木本体１９の厚さから外側Ｄ２に突出しないように前記樋２６の内部に納められた状態で固着されたハウジング３５と、幅木本体１９の長手方向（従って縦板材１７の直交方向）に向けて配置されたロッド部材３６を備えている。ロッド部材３６は、ハウジング３５に進退自在かつ回動自在に挿通され、ハウジング３５の内部に設けたスプリング３７により、端部キャップ２８に向かう矢印Ｘ方向に付勢され、該矢印Ｘの反対方向の端部をＵ字形に折返すことにより係止ピン部３６ａを形成している。従って、ロッド部材３６は、不使用時には、図７に実線で示すように、前記係止ピン部３６ａをハウジング３５の側面に当接させることにより前記樋部２６の内部に納められているが、この状態からスプリング３７に抗して移動すると共に回動させると、図７に鎖線で示すように、前記係止ピン部３６ａを樋部２６から突出させ、該係止ピン部３６ａをスプリング３７により矢印Ｘ方向に付勢される。従って、図８に示すように、幅木装置１２の両端部を前記支持手段９の搭載面１５ｂに搭載した状態で、係止機構３４の係止ピン部３６ａを縦板材１７の係止孔１８に嵌入させることにより、幅木本体１９が手摺枠５の縦板材１７に対してピン結合される。
【００３７】
上記の構成によれば、幅木装置１２は、踏み板部材２０を格納姿勢とした状態で、簡単容易な作業により、手摺枠５に取付けることができる。図例の場合、幅木本体１９の両端部を支持手段９に搭載した状態で、前記端部キャップ２８の係止片３３を隙間１６に嵌入し、前記係止機構３４の係止ピン部３６ａを縦材６の係止孔１８にピン結合するので、安定強固な取付状態が得られる。尚、足場の解体等に際して、幅木装置１２を取外す場合は、前記と逆の作業を行えば良く、取外し作業も簡単容易に行うことができる。
【００３８】
幅木装置１２は、格納姿勢とした踏み板部材２０を幅木本体１９に重ね合わせた状態で相互に係脱自在に係着する係着機構３８を設けている。図１０及び図１１に示すように、係着機構３８は、幅木装置１２の長手方向ほぼ中央位置に配置され、幅木本体１９の第１溝部２４に納められた状態で固着された軸受部材３９と、該軸受部材３９に軸４０を介して回動自在に軸支された揺動片４１を備えている。揺動片４１は、前記第１溝部２４の上壁に形成された切欠き開口部４２を介して幅木本体１９を横断するように配置され、前記内側Ｄ１に突出すると共に下向きに折曲された係止爪４３と、前記外側Ｄ２に突出する操作片４４を設けており、前記軸４０に設けられたスプリング４５により、前記係止爪４３を下向きに付勢されている。従って、図１０に実線で示すように、格納姿勢とされた踏み板部材２０は、自由端部２０ａを前記係止爪４３に係止され、格納姿勢を保持する。そこで、図１０に鎖線で示すように、操作片４４を押し下げると、係止爪４３の係止が解かれ、踏み板部材２０を使用姿勢に向けて回動可能とする。尚、反対に、踏み板部材２０を使用姿勢から格納姿勢に向けて回動したとき、踏み板部材２０の自由端部２０ａが係止爪４３を押し上げることにより、自動的係止が可能となるように、係止爪４３の下側に図示のようなテーパ面を形成しておくことが好ましい。
【００３９】
前記揺動片４１は、図１１（Ｂ）に示すように、内側Ｄ１と外側Ｄ２の相互に関して、係止爪４３に対応する切欠き空間４６を操作片４４に形成することが好ましい。これにより、図１４に示すように、踏み板部材２０を格納姿勢とした複数の幅木装置１２を重ねて積層したとき、隣り合う幅木装置１２、１２の間において、相互に、一方の幅木装置１２の係止爪４３が他方の幅木装置１２の切欠き空間４６に嵌入する。このため、多数の幅木装置１２をコンパクトに積層することが可能であり、しかも、相互に係止爪４３と操作片４４の嵌合により、積層状態の崩壊を防止できる。
【００４０】
幅木装置１２を足場構築体１の手摺枠５に取付けたとき、図１２に示すように、蝶番２３を枢支点として、踏み板部材２０を格納姿勢から使用姿勢に向けて回動することにより展開され、該踏み板部材２０の自由端部２０ａを足場板４の上面に重ねられる。これにより、足場構築体１は、手摺枠５の開口部が足元部分において幅木本体１９により塞がれ、足場板４の外側縁部と幅木本体１９の間の隙間が踏み板部材２０により塞がれており、物品落下防止の目的を達する。
【００４１】
幅木装置１２は、図１０、図１２、図１３に示すように、幅木本体１９と踏み板部材２０の枢結個所の部分に特徴を有している。
【００４２】
上述のように、幅木本体１９は、下端部２１に収容溝部２７を形成しており、これに対応して、踏み板部材２０は、基端部２２に屈折部４７ａを介して前記収容溝部２７に受入れられる枢結板部４７を形成しており、前記収容溝部２７の内部に蝶番２３を配置し、蝶番２３の一方の翼片部２３ｂを収容溝部２７の溝底壁４８に固着し、他方の翼片部２３ａを前記枢結板部４７に固着している。従って、図１３（Ｂ）に示すように、格納姿勢としたとき相互に重なり合う踏み板部材２０と幅木本体１９の重合面Ｑ１に関して、前記蝶番２３の枢結支点が前記重合面Ｑ１よりも外側Ｄ２に偏位した位置Ｑ２に配置されている。
【００４３】
換言すると、図示のように、蝶番２３は、翼片部２３ａ、２３ｂを閉じた状態でも枢支軸の直径以上の厚みを有しているので、単純に２枚の平板を蝶番２３に枢結しても平板が相互に重なり合わないのに対して、上記構成によれば、前記のような偏位した位置Ｑ２に蝶番２３の枢結支点を配置した結果、踏み板部材２０と幅木本体１９を相互に重合面Ｑ１で全面が密接するように重ならせることが可能となり、これにより、踏み板部材２０を格納した状態での幅木装置１２がコンパクトになる。尚、蝶番２３は、幅木本体１９と踏み板部材２０の長手方向に間隔をあけて複数個が設けられていることは、上述の通りである。
【００４４】
図示実施形態の場合、前記収容溝部２７は、上側の浅溝部２７ａと下側の深溝部２７ｂを連設しており、前記溝底壁４８の下側部分により深溝部２７ｂの底壁を構成する縦向き板壁４８ａを構成し、該縦向き板壁４８ａの下端縁部に沿って内側Ｄ１に向かう支持壁４９を延設している。該支持壁４９は、幅木本体１９の長手方向の全長に延びる長尺の板状に形成され、前記収容溝部２７の開口部に臨む支持リブ５０を立設している。
【００４５】
そこで、幅木装置１２を足場構築体１に取付けて使用するとき、図１３（Ａ）に示す格納姿勢から、図１３（Ｂ）に示す使用姿勢に向けて、蝶番２３により、踏み板部材２０を回動すると、上述のように、踏み板部材２０の自由端部２０ａが足場板４に重ねられ、前記枢結板部４７が支持リブ５０に覆いかぶせられる。図例の場合、枢結板部４７を支持リブ５０に当接せず近接させるように構成しているが、支持リブ５０に載置させるように構成しても良い。
【００４６】
使用姿勢とされた踏み板部材２０は、歩行する作業者により踏みつけられるが、幅木本体１９から延設された支持壁４９の支持リブ５０により下方から支持されるので、作業者の荷重を受けても撓むことはない。従って、足元が撓むことにより作業者に不快感や不安感を与えるようなことはない。しかも、該支持リブ５０により、蝶番２３の翼片部２３ａを固着した枢結板部４７が支持され、撓みが阻止されているので、蝶番２３に歪み応力を生じることはなく、蝶番２３を損傷するおそれもない。
【００４８】
更に、図１３（Ｂ）（Ｃ）に示すように、格納姿勢から使用姿勢に向けて、踏み板部材２０を回動すると、蝶番２３の性質上、幅木本体１９における一方の翼片部２３ｂを固着した溝底壁４８の内側の端縁４８ｅと、踏み板部材２０における他方の翼片部２３ａを固着した枢結板部４７の端縁２０ｅの間には、該蝶番２３の軸部の両側に位置して、隙間Ｗが形成され、長手方向に延びるスリットを形成するが、該スリットは、下方から支持壁４９により覆われているので、万一、ビス、針金、薄い板片等の物品がスリットを通過したとしても、落下することはない。
【００４９】
この場合も、図示実施形態では、支持壁４９を長手方向の全長にわたり延設しているが、必ずしも全長に設ける必要はなく、踏み板部材２０の基端部２２（具体的には枢結板部４７）のうち、間隔をあけて配置された蝶番２３の間に位置する中途部位の下方位置にのみ断続的に設けても良い。蝶番２３が設けられている部位は、前記隙間Ｗが該蝶番２３により塞がれているからである。
【００５０】
上記のように構成した結果、幅木装置１２は、足場構築体１に取付けて使用したとき、使用姿勢とされた踏み板部材２０の基端部２２が幅木本体１９の支持リブ５０により下方から支持されるので、作業者に踏みつけられても撓むことはなく、しかも、隙間Ｗが幅木本体１９の支持壁４９により下方から覆われるので、隙間Ｗに進入する物品が落下することはないという利点がある。そして、幅木装置１２それ自体として、収容溝部２７の内部において蝶番２３により踏み板部材２０の枢結板部４７を枢結しているので、格納姿勢とした踏み板部材２０を幅木本体１９に対して密接状態で重ならせることができ、嵩張らずコンパクトであるという利点がある。
【符号の説明】
【００５１】
１  足場構築体
２  支柱
３  横架材
４  足場板
５  手摺枠
６  縦材
９  支持手段
１２  幅木装置
１５  搭載部
１５ａ  載置面
１５ｂ  搭載面
１６  隙間
１７  縦板材
１８  係止孔
１９  幅木本体
２０  踏み板部材
２０ａ  自由端部
２１  下端部
２２  基端部
２３  蝶番
２７  収容溝部
２７ａ  浅溝部
２７ｂ  深溝部
２８  端部キャップ
３３  係止片
３４  係止機構
３８  係着機構
４７  枢結板部
４７ａ  屈折部
４８  溝底壁
４８ａ  縦向き板壁
４９  支持壁
５０  支持リブ
【図１】
0005628119.tif 000002
【図２】
0005628119.tif 000003
【図３】
0005628119.tif 000004
【図４】
0005628119.tif 000005
【図５】
0005628119.tif 000006
【図６】
0005628119.tif 000007
【図７】
0005628119.tif 000008
【図８】
0005628119.tif 000009
【図９】
0005628119.tif 000010
【図１０】
0005628119.tif 000011
【図１１】
0005628119.tif 000012
【図１２】
0005628119.tif 000013
【図１３】
0005628119.tif 000014
【図１４】
0005628119.tif 000015